(57)【要約】【課題】コンピュータ上に置かれた情報媒体が指で触れていないときにも反応部が検知されてしまうといった誤認識を防止することが可能な情報媒体及び情報処理システムを提供する。【解決手段】情報媒体１０は、タッチパネル５０が検知不可能な大きさからなる接触部２２と、タッチパネル５０が検知可能な大きさからなる認識部２１と、１つの接触部２２と１つの認識部２１とを１対１対応にて結合し、接触部２２及び認識部２１より細い接続部２３と、が導電材料からなる導電体２０を複数有する導電集合体３０を備え、接触部２２は、同時に触れられる程度に離散し、かつ、密集して配置されていることを特徴とする。【選択図】図１
2016095758.tif 000002
【特許請求の範囲】
【請求項１】
タッチパネルが検知不可能な大きさからなる接触部と、
タッチパネルが検知可能な大きさからなる認識部と、
１つの前記接触部と、１つの前記認識部とを１対１対応にて結合し、前記接触部及び前記認識部より細い接続部と、
が導電材料からなる導電体を複数有する導電集合体を備え、
前記接触部は、同時に触れられる程度に離散し、かつ、密集して配置されていること、
を特徴とする情報媒体。
【請求項２】
請求項１に記載の情報媒体であって、
前記複数の接触部が、ユーザの一の指先によって同時に接触可能に配置されていること、
を特徴とする情報媒体。
【請求項３】
請求項１又は請求項２に記載の情報媒体であって、
前記導電集合体は、基材上に設けられ、
前記基材上には、カバー層が設けられ、
前記カバー層には、前記複数の接触部が占める位置に、接触位置が示されていること、
を特徴とする情報媒体。
【請求項４】
請求項１から請求項３までのいずれかに記載の情報媒体であって、
前記導電集合体を複数備えること、
を特徴とする情報媒体。
【請求項５】
請求項１から請求項４に記載の情報媒体と、
静電容量方式のタッチパネルを有する情報処理装置と、
を備える情報処理システムにおいて、
前記情報処理装置は、
前記認識部の配置のパターンと、前記パターンを認識した際に実行される処理とを関連付けて記憶する記憶手段と、
前記認識部を読み取る読取手段と、
前記記憶手段を参照して、前記読取手段による前記認識部の配置に応じた処理を行う処理手段と、
を備えること、
を特徴とする情報処理システム。
【発明の詳細な説明】
【技術分野】
【０００１】
本発明は、静電容量方式のタッチパネルで読み取り可能な情報媒体及び情報処理システムに関する。
【背景技術】
【０００２】
従来、静電容量方式のタッチパネルで読み取り可能な情報媒体としては、媒体上に導電体を配置したものが知られている。このような情報媒体は、タッチパネル上に置かれた状態で情報媒体に配置された導電部分に指等の導体を接触させることで、タッチパネルの静電容量を変化させ、これにより接触を検知し、読取を行っている。このような情報媒体は、導電体を様々な形状で配列することにより、検知した際にそれぞれ異なった媒体であることを認識し、それに応じた処理が行われるようになっている。
情報媒体は、例えば、ユーザが指で触れやすいように十分な大きさを有する接触部と、タッチパネルに検知可能な大きさを有する複数の反応部と、それらを全て繋げる細い導電部とから構成される。これは、接触部において導体が接触しやすいように、また、導電体に指で触れた際に反応部だけがタッチパネルに検知されるように、導電部に対して反応部のみが大きくなるように構成されたものが知られている（例えば、特許文献１）。
また、上述の反応部がそれぞれ独立、あるいは全てを繋げないことで、媒体上の接触する位置により反応する導電体の配列の違いを検知し、それに応じて異なる処理を行うことを可能とした情報媒体が開示されている（例えば、特許文献２）。
【先行技術文献】
【特許文献】
【０００３】
【特許文献１】特開２０１３−８９０１３号公報
【特許文献２】特開２０１３−１６８１８７号公報
【非特許文献１】中島康祐、外5名、「PUCs:  静電容量方式マルチタッチパネルにおけるユーザの接触を必要としないウィジェット検出手法」、インタラクション2014論文集、一般社団法人  情報処理学会、2014年2月20日、p.108-113
【発明の概要】
【発明が解決しようとする課題】
【０００４】
しかしながら、特許文献１に開示された情報媒体において、特に図３に示されるような投影型静電容量方式のタッチパネル５０においては、図９のように、反応部８１が離れた２つ以上の異なる電極に対して接触するように情報媒体８０が置かれてしまうと、異なる電極同士が相互に接地点として働き、指で触れていないにもかかわらずコンピュータが反応し、処理が実行されてしまうという問題が報告されている（非特許文献１）。
【０００５】
本発明は、コンピュータ上に置かれた情報媒体が指で触れていないときにも反応部が検知されてしまうといった誤認識を防止することが可能な情報媒体及び情報処理システムを提供することを目的とする。
【課題を解決するための手段】
【０００６】
本発明は、以下のような解決手段により、前記課題を解決する。
第１の発明は、タッチパネルが検知不可能な大きさからなる接触部と、タッチパネルが検知可能な大きさからなる認識部と、１つの前記接触部と、１つの前記認識部とを１対１対応にて結合し、前記接触部及び前記認識部より細い接続部と、が導電材料からなる導電体を複数有する導電集合体を備え、前記接触部は、同時に触れられる程度に離散し、かつ、密集して配置されていること、を特徴とする情報媒体である。
第２の発明は、第１の発明の情報媒体であって、前記複数の接触部が、ユーザの一の指先によって同時に接触可能に配置されていること、を特徴とする情報媒体である。
第３の発明は、第１の発明又は第２の発明の情報媒体であって、前記導電集合体は、基材上に設けられ、前記基材上には、カバー層が設けられ、前記カバー層には、前記複数の接触部が占める位置に、接触位置が示されていること、特徴とする情報媒体である。
第４の発明は、第１の発明から第３の発明までのいずれかの情報媒体であって、前記導電集合体を複数備えること、を特徴とする情報媒体である。
第５の発明は、第１の発明から第４の発明までのいずれかの情報媒体と、静電容量方式のタッチパネルを有する情報処理装置と、を備える情報処理システムにおいて、前記情報処理装置は、前記認識部の配置のパターンと、前記パターンを認識した際に実行される処理とを関連付けて記憶する記憶手段と、前記認識部を読み取る読取手段と、前記記憶手段を参照して、前記読取手段による前記認識部の配置に応じた処理を行う処理手段と、を備えること、を特徴とする情報処理システムである。
【発明の効果】
【０００７】
本発明によれば、コンピュータ上に置かれた情報媒体が指で触れていないときにも反応部が検知されてしまうといった誤認識を防止することが可能な情報媒体及び情報処理システムを提供することができる。
【図面の簡単な説明】
【０００８】
【図１】本実施形態に係る情報媒体の構造を説明するための図である。
【図２】本実施形態に係る情報処理装置の機能ブロック図である。
【図３】本実施形態に係る情報処理装置のタッチパネルの原理を説明するための図である。
【図４】本実施形態に係る情報処理装置の認識処理を示すフローチャートである。
【図５】本実施形態に係る情報媒体を用いた具体例を示す図である。
【図６】本実施形態に係る他の情報媒体の構造を説明するための図である。
【図７】本実施形態に係る情報処理装置のパターンテーブルの例を示す図である。
【図８】本実施形態に係る他の情報媒体を用いた具体例を示す図である。
【図９】既存の情報媒体を用いた例を示す図である。
【発明を実施するための形態】
【０００９】
以下、本発明を実施するための形態について、図を参照しながら説明する。なお、これは、あくまでも一例であって、本発明の技術的範囲はこれに限られるものではない。
（実施形態）
＜情報媒体１０＞
図１は、本実施形態に係る情報媒体１０の構造を説明するための図である。
図１（Ａ）に示す情報媒体１０は、例えば、カードゲーム等で用いるカード型の媒体である。また、情報媒体１０は、静電容量方式のタッチパネル５０を有する情報処理装置５（後述する）に設置し、指等で接触することによって情報媒体１０に備えられた導電体２０の配置位置を読み取らせ、予め決められた処理を実行させるためのものである。
情報媒体１０は、基材１１上に、導電集合体３０が形成されたものである。導電集合体３０は、３つの導電体２０を備える。
導電体２０は、認識部２１と、接触部２２と、接続部２３とを有する。そして、認識部２１と、接触部２２とは、接続部２３によって結合されている。
【００１０】
認識部２１は、少なくとも情報処理装置５のタッチパネル５０が検知可能な面積を有する導電材料からなる。認識部２１は、例えば、直径が１０ｍｍ程度の大きさの円形の形状を有する。
情報媒体１０が備える３つの認識部２１は、その各々を、タッチパネル５０が個別に反応可能になるように配置されている。その際、各認識部２１は、密集しすぎるとそれぞれが独立した配置であることを検知しづらくなるため、タッチパネル５０がそれぞれの配置を検知できる程度にそれぞれ離散して配置されることが好ましい。
【００１１】
接触部２２は、導電材料からなり、タッチパネル５０に認識部２１を検知させるためにユーザの指先を接触させる部分である。
情報媒体１０が備える３つの接触部２２は、その全てが各々それ単体ではタッチパネル５０が反応しない程度の大きさであり、例えば、ユーザの親指や人差し指等、ユーザの１本の指によって接触可能な位置に配置されている。３つの接触部２２は、その全てが配置された位置の大きさ、すなわち、接触部２２の集合体としての外観形状が、ユーザの指約１本分の大きさであり、おおよそ１０ｍｍ四方の大きさである。つまり、３つの接触部２２は、３つの認識部２１の各々に比較して、少なくともそれぞれの面積が小さく配置される。また、認識部２１は、タッチパネル５０で認識しやすいように離散して配置される一方、接触部２２は、少なくとも１本の指で集合体の全てを同時に覆うことが可能なように密度を高く、密集して配置されることが好ましい。なお、接触部２２同士は、結合しておらず、少なくとも指で同時に接触可能な範囲で離散した位置に配置される。
【００１２】
接続部２３は、１つの認識部２１と、１つの接触部２２とを結合する部分であり、情報処理装置５のタッチパネル５０が反応しない程度の大きさの導電材料からなる。接続部２３は、その幅が、例えば、１ｍｍ程度の線形状である。
このように備えられた情報媒体１０は、ユーザが指等を用いて導電集合体３０を構成する３つの接触部２２の全てを跨るように容易に触れることができ、３つ全ての認識部２１を同時に情報処理装置５に検知させることで、認識部２１の配置パターンに応じた処理を実行させることができる。
【００１３】
情報媒体１０は、図１（Ｂ）に示すように、基材１１と、導電体２０と、カバー層１３とを備える。図１（Ｂ）は、図１（Ａ）の情報媒体１０のＹ−Ｙ方向断面の部分模式図である。
基材１１は、情報媒体１０の基礎となる部材であり、例えば、白色用紙から形成される。なお、基材１１は、白色用紙に限らず、上質紙、コート紙、プラスチックカード等であってもよく、導電体２０を担持でき、非導電性の物質からなる平面を有していれば、他のものであってもよい。
【００１４】
情報媒体１０は、基材１１上に導電体２０を備える。導電体２０は、電気導電性を持った物質（導電材料）であれば、特に物質を指定するものではない。例えば、基材１１上に導電性インキを印刷することで、情報媒体１０は、基材１１上に導電体２０を形成することができる。なお、導電性インキとしては、面積抵抗値として１００Ω／□以下であればよく、スクリーン印刷法等を用いてパターンを形成できる。また、導電体２０は、基材１１上に金属等を貼りつけて形成してもよい。
【００１５】
情報媒体１０は、導電体２０上にカバー層１３を備える。カバー層１３は、導電体２０を覆うように形成される。カバー層１３は、例えば、白色用紙、上質紙、コート紙、プラスチックカード等により構成されていてもよい。また、カバー層１３は、遮光性の高い白インキ等を用いて印刷された印刷層であってもよい。なお、インキは、非導電性インキを用いる必要がある。なお、カバー層１３は、タッチパネル５０により導電体２０を検知できる程度にある程度厚みを有する立体物でもよい。
【００１６】
＜情報処理装置５＞
次に、情報処理装置５の構成について説明する。
図２は、本実施形態に係る情報処理装置５の機能ブロック図である。
図３は、本実施形態に係る情報処理装置５のタッチパネル５０の原理を説明するための図である。
情報処理装置５は、例えば、タブレットＰＣに代表されるコンピュータの機能を併せ持った装置である。情報処理装置５は、その他、スマートフォン等の携帯型の装置でもよい。
【００１７】
図２に示すように、情報処理装置５は、タッチパネル５０と、音声出力部５２と、制御部５５と、記憶部５６と、通信インタフェース部５９とを備える。
タッチパネル５０は、液晶パネル等で構成される表示部としての機能と、ユーザからの指等によるタッチ入力を検出する入力部としての機能とを有する。また、タッチパネル５０は、相互容量検出方式による投影型静電容量方式を使用したものである。
【００１８】
ここで、本発明の実施形態におけるタッチパネル５０の一原理について、図３の田形電極モデルに基づき説明する。なお、本発明は田形電極に限定されることなく、その他の形態、例えば菱形電極等を用いることも可能である。
タッチパネル５０は、図３（Ａ）に示すモデルのように、その内部に、例えば、短冊状の透明電極を、縦方向と横方向とに各々等間隔に格子状に並べられた構造を有する。図３（Ａ）では、縦方向に並べて配置された縦電極６１を受信電極とし、横方向に並べて配置された横電極６２を電圧パルスが入力される送信電極とする。この送信電極となる横電極６２にパルスを入力すると、縦電極６１と横電極６２との電極間に電界が生じることとなる。
そして、図３（Ｂ）に示すように、例えば、ユーザの指Ｆがタッチパネル５０に接触、あるいは近づくことで、指と電極との間で電界の一部が発生し、電極間の電界が減少することになる。そのため、接触位置を横断する電極では、静電容量の変化が生じて接触位置を特定することができる。タッチパネル５０は、各縦電極６１と、各横電極６２とに設けられたセンサ（図示せず）から静電容量の変化を制御部５５に送信することで、制御部５５は、タッチパネル５０での指等の接触位置を把握できる。
【００１９】
図２に戻り、音声出力部５２は、例えば、スピーカ装置である。
制御部５５は、情報処理装置５の全体を制御するＣＰＵ（中央処理装置）である。制御部５５は、記憶部５６に記憶されているＯＳ（オペレーティングシステム）やアプリケーションプログラムを適宜読み出して実行することにより、上述したハードウェアと協働し、各種機能を実行する。制御部５５は、読取部５５ａ（読取手段）及び処理部５５ｂ（処理手段）としての機能を有する。
読取部５５ａは、導電体２０の接触位置を読み取る。本実施形態において、より詳細には、タッチパネル５０上に設置され、少なくとも指Ｆ等を介して接触部２２に触れられた情報媒体１０の認識部２１の接触位置を読み取る。
処理部５５ｂは、読取部５５ａが読み取った認識部２１の接触位置である読取パターンに対応した処理を行う。具体的には、後述の記憶部５６に記憶されたパターンテーブル５６ａを参照して、読み取った接触位置と同じパターンがパターンテーブル５６ａ内にあれば、それに対応付けられている処理を行う。
【００２０】
記憶部５６は、制御部５５が各種の処理を実行するために必要なプログラム、データ等を記憶するための半導体メモリ素子等の記憶領域である。
記憶部５６は、パターンテーブル５６ａ（記憶手段）を記憶している。パターンテーブル５６ａは、読取パターンと、処理内容とを対応付けたテーブルである。
通信インタフェース部５９は、通信ネットワークを介して他の装置（図示せず）との通信を行うためのインタフェース部である。
【００２１】
＜情報処理装置５での処理＞
次に、情報処理装置５での認識処理について説明する。
図４は、本実施形態に係る情報処理装置５の認識処理を示すフローチャートである。
この認識処理は、定期的に（例えば、１秒ごとに）行われる。
ステップＳ（以下、単に「Ｓ」という。）１０において、情報処理装置５の制御部５５は、タッチパネル５０から静電容量の変化を受信する。
Ｓ１１において、制御部５５は、静電容量に変化があったか否かを判断する。少なくとも一部が人体と接触した導電体２０を有する情報媒体１０がタッチパネル５０上に設置されたり、ユーザの指Ｆがタッチパネル５０に接触したりした場合には、静電容量に変化が生じる。なお、人体に接触していない導電体２０を有する情報媒体１０がタッチパネル５０に接触した場合には、大きな静電容量の変化が生じることなく、処理は行われない。人体が接触していると判断された、すなわち静電容量に変化があった場合（Ｓ１１：ＹＥＳ）には、制御部５５は、処理をＳ１２に移す。他方、静電容量に変化がなかった場合（Ｓ１２：ＮＯ）には、制御部５５は、本処理を終了する。
【００２２】
Ｓ１２において、制御部５５（読取部５５ａ）は、静電容量に変化があった電極を特定することで、指Ｆや導電体２０等の接触位置を特定し、判断する。
Ｓ１３において、制御部５５は、読み取った接触位置が、パターンテーブル５６ａに記憶された読取パターンと一致するか否かを判断する。接触位置がパターンテーブル５６ａに記憶された読取パターンと一致する場合（Ｓ１３：ＹＥＳ）には、制御部５５は、処理をＳ１４に移す。他方、接触位置がパターンテーブル５６ａに記憶された読取パターンと一致しない場合（Ｓ１３：ＮＯ）には、制御部５５は、本処理を終了する。
Ｓ１４において、制御部５５（処理部５５ｂ）は、パターンテーブル５６ａの読取パターンに対応した処理内容を実行する。その後、制御部５５は、本処理を終了する。
【００２３】
＜具体例１＞
次に、情報媒体１０をタッチパネル５０に適用した具体例を説明する。
図５は、本実施形態に係る情報媒体１０を用いた具体例を示す図である。
図５（Ａ）は、図１に示す情報媒体１０の３つの接触部２２に、ユーザの指Ｆを接触させた態様を示す。
図５（Ｂ）は、情報処理装置５のタッチパネル５０に、図５（Ａ）の状態の情報媒体１０を接触させた態様を示す。情報媒体１０の３つの接触部２２は、指Ｆによって接触されたままである。また、情報処理装置５のタッチパネル５０には、情報媒体１０の３つの認識部２１が接触されている。この場合、情報媒体１０の３つの認識部２１は、それぞれ各電極と電界を形成し、静電容量の変化によって、タッチパネル５０に検知させることができる。これは、図３で説明した指Ｆの役割を、３つの認識部２１が担っているためである。そして、情報処理装置５の制御部５５は、タッチパネル５０を介して３つの認識部２１の接触位置を読み取る。
【００２４】
図５（Ｃ）は、情報処理装置５の制御部５５がタッチパネル５０を介して読み取った検知箇所を読取パターン５１として、説明のために図示したものである。読取パターン５１の形状は、情報媒体１０が有する３つの認識部２１の位置と同一である。
情報媒体１０が有する３つの認識部２１の位置を、情報処理装置５の制御部５５が記憶部５６に記憶された読取パターン５１と一致するか否かを判断することで、制御部５５は、読取パターン５１に対応した処理を行うことができる。この例では、略二等辺三角形状の頂点となる３点が同時に検知されることによって、情報処理装置５の制御部５５は、この読取パターン５１に対応した画像（この例では、きりんの画像）を、タッチパネル５０に出力させ、音声出力部５２（図２参照）から音を出力させる。
【００２５】
＜具体例２＞
次に、他の情報媒体１１０の例を説明する。
図６は、本実施形態に係る他の情報媒体１１０の構造を説明するための図である。
図７は、本実施形態に係る情報処理装置５のパターンテーブル５６ａの例を示す図である。
図８は、本実施形態に係る他の情報媒体１１０を用いた具体例を示す図である。
【００２６】
図６（Ａ）は、情報媒体１１０の外観を示す。情報媒体１１０は、「○△□ＢＡＲ」に関するカードである。情報媒体１１０は、表面に「○△□ＢＡＲ」のロゴタイプが印刷されており、右側には、ボタン１１４（１１４ａ，１１４ｂ，１１４ｃ）が配置されている。ボタン１１４ａ，１１４ｂ，１１４ｃは、例えば、各々約１０ｍｍ四方の正方形の形状を有し、それぞれを指一本で覆うことが可能な程度の大きさで構成される。また、ユーザが指Ｆを配置する位置がわかりやすいように印刷だけでなく、例えば凹凸等を施してもよい。
図６（Ｂ）は、情報媒体１１０の内部構造を示す。情報媒体１１０は、基材１１１上に、３つの導電集合体１３０（１３０ａ，１３０ｂ，１３０ｃ）が形成されている。
【００２７】
図６（Ａ）のボタン１１４ａに重なる位置には、導電集合体１３０ａは、それぞれタッチパネル５０が反応しない程度の大きさの３つの導電体１２０ａからなる接触部１２２ａが設けられ、外観形状が印刷に対応する大きさになるように形成されている。同様に、ボタン１１４ｂに重なる位置には、導電集合体１３０ｂを構成する３つの導電体１２０ｂに対応する３つの接触部１２２ｂが、ボタン１１４ｃに重なる位置には、導電集合体１３０ｃを構成する３つの導電体１２０ｃに対応する３つの接触部１２２ｃが、各々設けられている。
情報媒体１１０に設けられている各認識部１２１（１２１ａ，１２１ｂ，１２１ｃ）は、例えば、タッチパネル５０で認識可能な程度の大きさからなる直径が約１０ｍｍ程度の大きさの円形の形状を有する。
また、情報媒体１１０に設けられている各接触部１２２（１２２ａ，１２２ｂ，１２２ｃ）及び各接続部１２３（１２３ａ，１２３ｂ，１２３ｃ）は、各々情報処理装置５のタッチパネル５０が反応しない程度の大きさである。
【００２８】
図７は、パターンテーブル５６ａの例を示す。パターンテーブル５６ａの読取パターンは、情報媒体１１０の各導電集合体１３０の導電体１２０に対応した認識部１２１の位置と同じである。例えば、（ａ）は、導電集合体１３０ａの認識部１２１ａの位置のパターンであり、（ｂ）は、導電集合体１３０ｂの認識部１２１ｂの位置のパターンである。
また、パターンテーブル５６ａの処理内容は、例えば（ａ）の場合には、記憶部５６に記憶された電話をかけるためのＴＥＬ  ＡＰＬ（アプリケーション）（図示せず）を呼び出して、「○△□ＢＡＲ」の電話番号「０３−ＸＸＸＸ−ＹＹＹＹ」に電話をかける処理を行う。また、（ｂ）の場合には、記憶部５６に記憶された地図を表示するＭＡＰ  ＡＰＬ（図示せず）を呼び出して、「○△□ＢＡＲ」の位置である緯度経度（ａａａａ，ｂｂｂｂ）を中心とした地図を表示させる処理を行う。さらに、（ｃ）の場合には、記憶部５６に記憶されたＷｅｂブラウザ（図示せず）を起動させて、「○△□」ＢＡＲのＨＰ（ホームページ）を表示させる処理を行う。
【００２９】
なお、処理内容は、ユーザの指Ｆが情報媒体１１０のボタン１１４に接触した際に、指Ｆが接触したボタン１１４に重なった位置の接触部１２２を介して認識される認識部１２１の配置パターンに対応したものである。つまり、パターンテーブル５６ａは、情報処理装置５の制御部５５が、指Ｆがタッチされたボタン１１４に示された内容の処理を行うように予め作成されている。
【００３０】
図８（Ａ）は、ユーザの指Ｆが情報媒体１１０のボタン１１４ａに接触された状態を示す。
図８（Ｂ）は、図８（Ａ）の状態で、情報媒体１１０をタッチパネル５０に接触させた例を示す。そうすると、情報媒体１１０は、接触部１２２を介してユーザの指Ｆに接触している認識部１２１ａによって、タッチパネル５０で検知させることができる。そして、情報処理装置５の制御部５５は、タッチパネル５０を介して認識部１２１ａの配置パターンを読み取る。情報処理装置５がタッチパネル５０を介して読み取った読取パターン１５１ａは、情報媒体１１０の認識部１２１ａの位置が示す形状と同一である。
【００３１】
図８（Ｃ）は、情報処理装置５の制御部５５（処理部５５ｂ）が、処理を行った場合の例を示す。制御部５５は、読取パターン５１の形状を、パターンテーブル５６ａのパターンと照合する。そして、照合した結果、読取パターン５１の形状に一致するパターンテーブル５６ａの読取パターンが存在したため、制御部５５は、一致したパターンテーブル５６ａの読取パターンに対応する処理内容を実行する。この例では、電話をかける処理のパターンに一致したので（図７（ａ））、制御部５５は、「○△□ＢＡＲ」の電話番号に電話をかける処理を行う。
【００３２】
このように、本実施形態によれば、以下のような効果がある。
（１）情報媒体１０が有する１つの接触部２２に１つの認識部２１が対応し、例えば、投影型静電容量方式の複数のタッチパネルにおいて、異なる複数間の電極に認識部２１が跨って配置した場合にも、ユーザが接触部２２に接触しない限り静電容量の変化が生じることなく、タッチパネル５０が誤って認識部２１を認識することがなく、情報媒体１０は、誤認識を抑制するものにできる。
（２）情報媒体１０が有する複数の接触部２２の配置位置を、少なくとも１本の指Ｆで覆うことができる程度に密集して設けられているので、容易に全ての認識部２１をタッチパネル５０に検知させることができる。よって、複数の接触部２２に接続された複数の認識部２１を認識させやすくできる。
【００３３】
（３）情報媒体１０が有する複数の接触部２２で構成される導電集合体３０に対応させて、接触位置を示す印刷をすることで、ユーザは、複数の接触部２２の位置を、印刷によって認識できる。よって、情報媒体１０は、複数の接触部２２を、ユーザがタッチ等によって接触しやすい態様にできる。
（４）情報媒体１０が有する複数の接触部２２が占める位置の面積を、ユーザの一の指Ｆの指先と同程度の大きさにすることで、ユーザが複数の接触部２２の全てを、一度にタッチ等によって接触しやすくできる。
【００３４】
（５）情報媒体１１０は、複数の導電集合体１３０を備えるので、各導電集合体１３０が有する複数の導電体１２０の各接触部１２２に対応する各認識部１２１の配置を、導電体１２０ごとに異なるものにできる。よって、１つの情報媒体１１０において、接触部１２２及び認識部１２１の配置の違いによる多様な指示を、タッチパネル５０に与えることができる。
（６）情報処理装置５にパターンテーブル５６ａを有し、情報媒体１０が有する認識部２１の位置のパターンに対応した読取パターンと、処理内容とを対応付けているので、帯電された複数の認識部２１の配置パターンに対応した処理を、情報処理装置５に確実に行わせることができる。
【００３５】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００３６】
（変形形態）
（１）本実施形態では、３つの導電体２０からなる導電集合体３０を例に説明したが、これに限定されない。導電体の数は、２つであってもよいし、４つ以上であってもよい。
また、１つの導電集合体３０と、３つの導電集合体１３０との例を説明したが、導電集合体の数も、これに限定されるものではない。
（２）本実施形態では、ユーザの指Ｆを接触部２２に接触させるものを例に説明したが、これに限定されない。例えば、ペン形状の導電体であってもよい。
（３）本実施形態では、情報媒体１０は、基材１１の上に導電体２０を有するものとして説明したが、これに限定されない。情報媒体は、基材の下側に導電体を有するものであってもよい。
【符号の説明】
【００３７】
５    情報処理装置
１０，１１０  情報媒体
１１，１１１  基材
１３  カバー層
２０，１２０，１２０ａ，１２０ｂ，１２０ｃ  導電体
２１，１２１，１２１ａ，１２１ｂ，１２１ｃ  認識部
２２，１２２，１２２ａ，１２２ｂ，１２２ｃ  接触部
２３，１２３，１２３ａ，１２３ｂ，１２３ｃ  接続部
３０，１３０  導電集合体
５０  タッチパネル
５５  制御部
５５ａ  読取部
５５ｂ  処理部
５６ａ  パターンテーブル
１１４，１１４ａ，１１４ｂ，１１４ｃ  ボタン
Ｆ    指
【図１】
2016095758.tif 000003
【図２】
2016095758.tif 000004
【図３】
2016095758.tif 000005
【図４】
2016095758.tif 000006
【図５】
2016095758.tif 000007
【図６】
2016095758.tif 000008
【図７】
2016095758.tif 000009
【図８】
2016095758.tif 000010
【図９】
2016095758.tif 000011